(57)【要約】本発明は、熱加塑性エラストマー製の一体形密閉カバー（１）、特に支持体（２０、２０’、２０”）の開口部（２２、２２’、２２”）を密閉するための密閉カバーに関する。この密閉カバーの本体（５）にはその周囲を取り囲むカラー（７）がつながり、このカラーは少なくとも１つの弾性シールリップ（１０、１０’）に移行し、このシールリップは支持体の一方の側に密着し、その際カラー（７）は、シールリップ（１０、１０’）に向い合って位置する少なくとも１つのラッチリング（１２）を備える。本発明は次の特徴を持つ。すなわち、カラー（７）が、支持体（２０、２０’、２０”）のカバー面（Ｆ）に平行に位置する中間領域（１４）を介して、シールリップ（１０、１０’）と結合していること、ラッチリング（１２）が、中間領域（１４）とシールリップ（１０、１０’）が形成する内部スペース（２１）内に突出すること、およびシールリップ（１０、１０’）の外側領域が支持体（２０、２０’、２０”）のカバー面（Ｆ）に接着可能であることとを特徴とする。
2005529287.tif 000002
【特許請求の範囲】
【請求項１】
特に支持体（２０、２０’、２０”）の開口部（２２、２２’、２２”）を密閉するための熱加塑性エラストマー製の一体形密閉カバー（１）において、前記密閉カバーの本体（５）にはその周囲を取り囲むカラー（７）がつながり、該カラーが、前記支持体の一方の側に密着する少なくとも１つの弾性シールリップ（１０、１０’）に移行し、前記カラー（７）が、シールリップ（１０、１０’）に向い合って位置する少なくとも１つのラッチリング（１２）を備える密閉カバーであって、
前記カラー（７）が、前記支持体（２０、２０’、２０”）のカバー面（Ｆ）に平行に位置する中間領域（１４）を介して、前記シールリップ（１０、１０’）と結合していること、
前記ラッチリング（１２）が、前記中間領域（１４）と前記シールリップ（１０、１０’）が形成する内部スペース（２１）内に突出すること、および
前記シールリップ（１０、１０’）の外側領域が支持体（２０、２０’、２０”）のカバー面（Ｆ）に接着可能であることを特徴とする密閉カバー。
【請求項２】
前記シールリップ（１０、１０’）が前記ラッチリング（１２）を十分に覆うことを特徴とする、請求項１に記載の密閉カバー。
【請求項３】
前記シールリップ（１０）が、前記支持体（２０、２０’、２０”）のカバー面（Ｆ）に接着可能な複数の歯状突起（２３）を前面に備えることを特徴とする、請求項１および２に記載の密閉カバー。
【請求項４】
前記シールリップ（１０’）が前記支持体（２０、２０’、２０”）のカバー面（Ｆ）に向かって円錐形を形成し、該支持体に接着可能であることを特徴とする、請求項１または２に記載の密閉カバー。
【請求項５】
ラッチリング（１２）が本体（５）の平面に位置し、前面にストッパーリップ（２５）を備えることを特徴とする、前記請求項のいずれかに記載の密閉カバー。
【請求項６】
前記シールリップ（１０、１０’）および前記ラッチリング（１２）の外側表面（Ａ1、Ａ2）が互いに傾斜していることを特徴とする、前記請求項のいずれかに記載の密閉カバー。
【請求項７】
前記ラッチリング（１２）の外側表面（Ａ2）に、ストッパーリップ（２５）に移行する面（Ｕ）がつながり、この面がシールリップ（１０、１０’）の外側表面（Ａ1）に等しい傾斜を持つことを特徴とする、請求項６に記載の密閉カバー。
【発明の詳細な説明】
【技術分野】
【０００１】
本発明は、請求項１の上位概念に記載する、その本体にその周囲を取り囲むカラーを接続された熱加塑性エラストマー製の一体形密閉カバー、特に支持体の開口部を密閉するためのカバーに関する。
【背景技術】
【０００２】
この種の密閉カバーはすでに従来の技術において知られている（ＤＥ３５１２５８２Ｃ３、ＤＥ３７１３５０３Ｃ１）。これらの密閉カバーは、それぞれ１つの弾性シールリップと、それと向い合う位置に１つまたは複数のラッチリングを備える。これによって取り付け状態では、支持体に良好に保持されると同時に、申し分ない密閉が得られる。この知られた構造の欠点は、支持体の開口部領域の形状が様々に異なる場合に上記の要件を満たすには、様々な密閉カバーを準備しなければならないことである。
【特許文献１】ドイツ特許第３５１２５８２号明細書
【特許文献２】ドイツ特許第３７１３５０３号明細書
【発明の開示】
【発明が解決しようとする課題】
【０００３】
したがって本発明の課題は、冒頭に挙げた種類の密閉カバーであって、支持体開口部領域の形状のいかんにかかわらず、この支持体開口部の確実かつ効果的な密閉が得られるようなカバーを得ることである。
【課題を解決するための手段】
【０００４】
本発明はこの課題を次のようにして解決する。まずカラーは、支持体カバー面と平行に位置する中間領域を経由して、シールリップと結合されているものとする。次にラッチリングは、上記中間領域とシールリップが形成する内部スペース内に突出するものとする。そしてシールリップの外側領域は、支持体のカバー面に接着可能なものとする。
【０００５】
これら個々の特徴による作用を組み合わせることにより、新しい形状の密閉カバーが得られる。このカバーは部品数のいちじるしい節減を可能とし、その際熱加塑性エラストマーの特殊な用法によって、支持体開口部領域でカバー面を接着することができる。これにより取り付けが簡単になると同時に、当該支持体開口部に申し分ない密閉が得られる。
【０００６】
本発明のその他の実施形態では、シールリップがラッチリングを大きく覆っている。
本発明の１つの実施形態では、シールリップが前面に外側領域として複数の歯状突起を備え、この突起は支持体のカバー面に接着可能である。この歯状突起とラッチリングとの相互作用として、該支持体開口部の形状いかんにかかわらずその確実な密閉が可能となる。
【０００７】
上記に代わる方法として、このシールリップは支持体のカバー面に向かって円錐形をなしてこれと接着可能なものとし、上記と同様な効果を得ることもできる。
ラッチリングは本体の平面に位置するものとし、その前面にストッパーリップを備えるものとすることができる。その他、シールリップとラッチリングの外側表面は、互いに傾斜を持つものとすることができる。この場合ラッチリングの外側表面には、ストッパーリップに移行する平面がつながるものとし、この平面にシールリップの外側表面と同じ角度を持たせることができる。
【０００８】
図面に示した実施例を用いて、本発明を下記にさらに詳しく説明する。
【発明を実施するための最良の形態】
【０００９】
図１、３、４および５は、熱加塑性エラストマー製の一体形密閉カバー１を示す。この密閉カバーは特に、図２に略図を示すような支持体の開口部２２ないし２２’ないし２２”を密閉するのに用いる。この支持体は、図２ａでは外側を向くカラーを備え、図２ｂでは平滑に延び、図２ｃでは内側を向くカラーを備える。ここで本発明による密閉カバーを用いれば、支持体の形状が異なっていても（２０、２０’ないし２０”）それぞれの開口部の領域にこのカバーを良好に取り付け、この開口部を密閉することができる。
【００１０】
密閉カバー１の本体５にはその周囲を取り囲むカラー７がつながる。この円周形のカラー７には少なくとも１つの弾性シールリップ１０がつながって、このシールリップが支持体の側面に密着し、このカラー７は、シールリップ１０に向い合って位置するラッチリング１２を少なくとも１つ備える。
【００１１】
特に図１および５に記載するようにカラー７は、支持体２０、２０’、２０”のカバー面Ｆ（図２）に平行に位置する中間領域１４を介して、シールリップ１０と結合されている。さらに、特に図５からわかるように、ラッチリング１２が、中間領域１４とシールリップ１０により形成される内部スペース２１内に突出する。
【００１２】
本発明の場合、ここでシールリップ１０の外側領域は、支持体２０、２０’、２０”のカバー面（Ｆ）と接着可能である。
図１に記載するように、シールリップ１０はラッチリング１２を十分に覆い隠す。それだけでなくシールリップ１０は、図１および５に記載の実施形態の場合、それぞれ支持体のカバー面Ｆに接着可能な複数の歯状突起２３を、その前面に外側領域として備える。
【００１３】
ラッチリング１２は、図１および図５に示すように本体５の平面にあって、前面にストッパーリップ２５を備える。特には図５に記載するように、シールリップ１０およびラッチリング１２の外側表面Ａ1、Ａ2は互いに傾斜している。本発明によればこの場合特に、ラッチリング１２の外側表面Ａ2には、ストッパーリップ２５に移行する面Ｕがつながり、この面はシールリップ１０の外側表面Ａ1に実質的に等しい傾斜を持つ。
【００１４】
図２ａのように対応する形状のカラーを備える支持体２０の場合、シールリップ１０の歯状突起２３が支持体の面Ｆに作用し、その際ラッチリング１２のストッパーリップ２５は、支持体２０の当該カラーを把握する。
【００１５】
図２ｂに記載の支持体２０’の場合、弾性シールリップ１０の歯状突起２３が支持体２０’の面Ｆに作用するが、これに対してラッチリング１２のストッパーリップ２５は、支持体の他の側を覆い、両者が互いに接着される。
【００１６】
開口部２２”を持つ支持体２０”の場合、該カラーはさらに密閉カバー１の内部スペース２１に収められ、弾性シールリップ１０の歯状突起２３は、やはり支持体２０”の面Ｆに接着される。
【００１７】
図１および５の実施形態の場合、弾性シールリップ１０は複数の歯状突起２３を備えるが、それに代わるものとして図６のように、弾性シールリップ１０’を、支持体２０、２０’、２０”の面Ｆに向かって円錐形を形成するものとし、この面に接着することもできる。
【００１８】
内部スペース２１を形成し、シールリップ１０ないし１０’およびラッチリング１２の特別な形態を取ることにより、また特別な材料選択を行って密閉カバーを熱加塑性エラストマー製とすることにより、密閉カバー形成の際に簡単な方法で部品をいちじるしく節減できるようになる。
【図面の簡単な説明】
【００１９】
【図１】本発明による密閉カバーの第１の実施形態を中心で切った断面図である。
【図２】図２ａは、支持体開口部の様々な形成方法について、中心で切った断面図を一部省略して示す。            図２ｂは、支持体開口部の様々な形成方法について、中心で切った断面図を一部省略して示す。            図２ｃは、支持体開口部の様々な形成方法について、中心で切った断面図を一部省略して示す。
【図３】図１の密閉カバーの上面図を一部省略して示す図である。
【図４】図１および３の密閉カバーの側面図を一部省略して示す図である。
【図５】図１のＸ部分の拡大図である。
【図６】シールリップ領域について、本発明によるもう１つの実施形態を一部省略して示す、中心で切った断面図である。
【図１】
2005529287.tif 000003
【図２】
2005529287.tif 000004
2005529287.tif 000005
2005529287.tif 000006
【図３】
2005529287.tif 000007
【図４】
2005529287.tif 000008
【図５】
2005529287.tif 000009
【図６】
2005529287.tif 000010
【手続補正書】
【提出日】平成16年5月10日(2004.5.10)
【手続補正１】
【補正対象書類名】特許請求の範囲
【補正対象項目名】全文
【補正方法】変更
【補正の内容】
【特許請求の範囲】
【請求項１】
特に支持体（２０、２０’、２０”）の開口部（２２、２２’、２２”）を密閉するための熱加塑性エラストマー製の一体形密閉カバーにおいて、前記密閉カバーの本体（５）にはその周囲を取り囲むカラー（７）がつながり、該カラーが、前記支持体の一方の側に密着する少なくとも１つの弾性シールリップ（１０）に移行し、前記カラー（７）が、シールリップ（１０）に向い合って位置する少なくとも１つのラッチリング（１２）を備え、前記カラー（７）が中間領域（１４）を介してシールリップ（１０）と結合しており、前記ラッチリング（１２）が、前記中間領域（１４）と前記シールリップ（１０）が形成する内部スペース（２１）内に突出する密閉カバーであって、
前記中間領域（１４）が、前記支持体（２０、２０’、２０”）のカバー面（Ｆ）に平行に位置すること、および
前記シールリップ（１０）の外側領域が前記支持体のカバー面（Ｆ）に、複数の歯状突起（２３）を介して接着可能であることを特徴とする密閉カバー。
【請求項２】
前記ラッチリング（１２）が本体（５）の平面に位置し、前面にストッパーリップ（２５）を備えることを特徴とする、請求項１に記載の密閉カバー。
【請求項３】
前記シールリップ（１０）および前記ラッチリング（１２）の外側表面（Ａ1、Ａ2）が互いに傾斜していることを特徴とする、請求項１または２に記載の密閉カバー。
【請求項４】
前記ラッチリング（１２）の外側表面（Ａ2）に、前記ストッパーリップ（２５）に移行する面（Ｕ）がつながり、この面が前記シールリップ（１０）の外側表面（Ａ1）に等しい傾斜を持つことを特徴とする、請求項３に記載の密閉カバー。
【国際調査報告】
2005529287.tif 000011
2005529287.tif 000012
2005529287.tif 000013
2005529287.tif 000014